(57)【要約】【課題】  スポーツ施設や祭礼会場、さらにはコンサートホール、ディスコ、パーティ会場などにおいて、夜間や暗い場合においても、扇子本来の視覚的美観を損なわずに、しかも、華やかにあるいは陽気に応援でき、またその場の雰囲気を盛り上げることのできる扇子を提供する。【解決手段】  一対の親骨２，３の少なくとも一つに発光ダイオード７が組み込まれ、親骨３の要軸５側の端部に電池収納部８を有し、発光ダイオード７への配線が、親骨３内または親骨２内と要軸５部の止め軸内に設けて扇子１とする。【選択図】      図１
0003102065.tif 000002
【実用新案登録請求の範囲】
【請求項１】
扇子本体を構成する一対の親骨の少なくとも一つに発光ダイオードが組み込まれ、
前記親骨の要側端部に電池収納部を有し、
発光ダイオードへの配線が、親骨内または親骨内と要軸部の止め軸内に設けられていること
を特徴とするものである。
【請求項２】
前記発光ダイオードは、扇子本体を構成する一対の親骨のそれぞれに組み込まれている
こと
を特徴とする請求項１に記載の扇子。
【請求項３】
前記発光ダイオードは、親骨内に複数組み込まれ、発光色に変化を持たせていること
を特徴とする請求項１又は２に記載の扇子。
【請求項４】
前記扇子本体は、中骨及び／又は扇面紙に蛍光物質が付加されていること
を特徴とする請求項１〜３のいずれかに記載の扇子。
【請求項５】
前記扇子本体は、親骨、中骨および扇面紙のいずれか、又は全てが透明性を有する材料で形成されていること
を特徴とする請求項１〜４のいずれかに記載の扇子。
【請求項６】
前記扇子本体は、連続的発光、断続的発光、消光および発光色の切り替えまたは発音の調整を行うＩＣ回路およびスイッチを有すること
を特徴とする請求項１〜５のいずれかに記載の扇子。
【考案の詳細な説明】
【技術分野】
【０００１】
この考案は、発光機能を有する扇子に関するもので、手工芸品、装飾品、服飾小物、演劇・舞踊の小道具として利用され得るものである。
【背景技術】
【０００２】
扇子は、本来涼を取るための道具であるが、古からの継続した使用により、種々の目的で使用されるようになって来ている。
【０００３】
代表的なものを挙げれば、日本舞踊においては、小道具（舞扇）として欠かせないものであり、演劇・講談・落語等においても常に使用されている。
【０００４】
また、日常生活においても、礼装用として、装飾品として、幅広く使用されているものである。
【０００５】
その他、スポーツ施設や祭礼会場、さらにはコンサートホール、ディスコ、パーティ会場などにおいては、選手や出場者、演者などの応援、さらにはその場の雰囲気を盛り上げるために、昼夜を問わず用いられており、そのために、本来の目的、すなわち、風を送るという目的とは全く関係のない工夫・改良がなされ提案されている。
【０００６】
例えば、特開２００１−８７０２０号公報（特許文献１）においては、扇子を構成する一対の親骨の両方又はいずれかの一方に、親骨と同一の形状を有する補助台を、親骨の下段部に密着させて付着させて、応援用扇子となし、この扇子を閉塞状態で手の平などを打撃すると、親骨と補助台が互いに打ち付けられることにより、軽快でも大きい打撃音が発生し、サッカー、野球などの運動競技を観覧するときの応援用道具となるものを提案している。
【０００７】
また、特開平１１−５６４３４号公報（特許文献２）においては、扇子の骨として蛍光塗料の入った透明の管を使うことにより、暗やみに美しくイルミネーションを醸し出すことのできる、風流な扇子が提案されている。
【特許文献１】特開２００１−８７０２０号公報（特許請求の範囲、段落００２４〜００２５）
【特許文献２】特開平１１−５６４３４号公報（特許請求の範囲、考案の詳細な説明）
【考案の開示】
【考案が解決しようとする課題】
【０００８】
前記特許文献１で提案された扇子は、音による効果、すなわち、聴覚に訴えるものであって、扇子の持つ視覚的な美観について考慮されておらず、特に、夜間ないし薄暗い状態で使用されたときには、扇子の有する主たる特性である美装性が生かされていないものである。
【０００９】
これに対して、特許文献２で提案されている扇子は、蛍光塗料を用いているため、暗やみに美しくイルミネーションを醸し出すことができ、視覚的に優れたものであるが、単色もしくは定色で淡く発光するだけであり、前記した応援や、会場の雰囲気を盛り上げるという時に使用するには、必ずしも満足し得るものではない。
【００１０】
この考案はかかる現状に鑑み、スポーツ施設や祭礼会場、さらにはコンサートホール、ディスコ、パーティ会場などにおいて、夜間や暗い場合においても、扇子本来の視覚的美観を損なわずに、しかも、華やかにあるいは陽気に応援でき、またその場の雰囲気を盛り上げることのできる扇子を提供すべく検討を行った結果、発光ダイオードを用いて、扇子に発光性を付与することにより、上記課題を解決し得ることを見出し、この考案を完成させたものである。
【課題を解決するための手段】
【００１１】
前記目的を達成するため、この考案の請求項１に記載の扇子は、
扇子本体を構成する一対の親骨の少なくとも一つに発光ダイオードが組み込まれ、
前記親骨の要側端部に電池収納部を有し、
発光ダイオードへの配線が、親骨内または親骨内と要部の止め軸内に設けられていること
を特徴とするものである。
【００１２】
また、請求項２に記載の考案は、
請求項１に記載の扇子において、
前記発光ダイオードは、扇子本体を構成する一対の親骨のそれぞれに組み込まれている
こと
を特徴とするものである。
【００１３】
また、請求項３に記載の考案は、
請求項１又は２に記載の扇子において、
前記発光ダイオードは、親骨内に複数組み込まれ、発光色に変化を持たせていること
を特徴とするものである。
【００１４】
また、請求項４に記載の考案は、
請求項１〜３のいずれかに記載の扇子において、
前記扇子本体は、中骨及び／又は扇面紙に蛍光物質が付加されていること
を特徴とするものである。
【００１５】
また、請求項５に記載の考案は、
請求項１〜４のいずれかに記載の扇子において、
前記扇子本体は、親骨、中骨および扇面紙のいずれか、又は全てが透明性を有する材料で形成されていること
を特徴とするものである。
【００１６】
さらに、請求項６に記載の考案は、
請求項１〜５のいずれかに記載の扇子において、
前記扇子本体は、連続的発光、断続的発光、消光および発光色の切り替えまたは発音の調整を行うＩＣ回路およびスイッチを有すること
を特徴とするものである。
【考案の効果】
【００１７】
この考案の扇子は、扇子本体を構成する親骨内に発光ダイオードが組み込まれているため、発光を任意にコントロールすることができ、例えば、連続的発光や点滅発光が行え、しかも、その明るさは、蛍光塗料によるものに比し数段優れたもので、薄暗いところや夜間において、この扇子を用いることによる効果には格別のものがあり、特にその美麗さは従来のものと比較できないもので、夜間でのスポーツ施設や祭礼会場、さらにはコンサートホール、ディスコ、パーティ会場などにおける、応援や雰囲気の盛り上げに効果的なものである。
【００１８】
さらに、発光ダイオードを複数組み込み、それぞれの発光色を異ならせる、例えば、赤色発光と緑色発光とを組み合わせることにより、上記効果に色の変化が加わることになり、より一層美麗さを向上させることができる。
【００１９】
また、扇面紙に、蛍光顔料やガラスビーズのような反射材の添加された絵の具で絵を描くことにより、さらには、扇面紙や中骨を蛍光顔料や反射材を含有する透明性材料で形成することにより、華やかさをさらに増大させることができる。
【００２０】
また、親骨も透明性材料で形成し、その表面を、光を反射し易いダイヤカット構造にすることにより、さらに効果を挙げることができる。
【考案を実施するための最良の形態】
【００２１】
以下、この考案の扇子の好ましい実施の形態について、添付の図面を参照に詳細に説明するに、図１は、この考案にかかる扇子の一例を示す正面図、図２は、閉じた状態を示す斜視図、図３は要軸部の断面図である。
【００２２】
この考案の扇子１は、左右一対の親骨２，３と、複数の中骨４，４・・・と、前記各親骨２，３と複数の中骨４，４・・・の基端部を結束し、扇子本体１（実質的に扇子１と同じにつき同符号とする。）を開閉自在に保持する要軸５と、前記各親骨２，３と複数の中骨４，４・・・を相互に一体的に連結するジグザグ状に折り畳み可能な扇面紙６から構成されるものであって、この考案の扇子１においては、左右一対の親骨２又は３の少なくとも一つに発光ダイオード７が組み込まれている。
【００２３】
発光ダイオード７としては、赤色発光ダイオード、緑色発光ダイオードなど種々の発光色の異なる発光ダイオードが目的に応じて選択使用され、後述するように使用に制限があるが、紫外線を発光する発光ダイオードも使用可能である。
【００２４】
また、発光ダイオード７を、例えば図１に示すように、一対存在する親骨２，３のそれぞれに２個ずつ組み込み、計４個の発光ダイオードの発光色を異なるもの、例えば、赤色発光ダイオード２個と緑色発光ダイオード２個というように組み込むと、発光だけでなく、色彩の変化も楽しむことができ、目的とする効果をより良く発揮することができる。
【００２５】
発光ダイオード７が組み込まれる親骨２及び／又は３は、発光の効果を挙げるために透明な材料、例えばポリプロピレンなどのプラスチックで製造されているのが好ましく、さらに、光の散乱、すなわち散乱光による発光効果を目的として、その表面にダイヤカット加工を施したものが好ましい。親骨２として不透明な材料を使用することも可能で、その場合には、適当な箇所に窓を設けることにより、光線の位置、方向などを細工することができ、興趣の異なるものとなる。
【００２６】
中骨４や扇面紙６については、材質や表面模様に格別な制限はなく、どのようなものでも使用可能であるが、この考案が奏する効果をより優れたものにするために、種々の変化を持たせることが可能で、例えば扇面紙６の表面に、蛍光顔料やガラスビーズのような反射材の添加された絵の具で絵を描くことにより、光を散乱させ、あるいは発色に変化をもたせることができる。
【００２７】
また、中骨４や扇面紙６を透明性材料で形成し、透明性材料内に反射材を混入しておくことによっても同様の効果が得られる。さらに、紫外線で発光する蛍光顔料を中骨４や扇面紙６に添加しておき、紫外線を発する発光ダイオードを親骨２及び／又は３に組み込むことにより、別種の効果が奏される。
【００２８】
発光ダイオード７のエネルギー源としては電池が用いられ、電池は、親骨２及び／又は３の要側の端部に設けられた電池収納部８に収納される。図１および図２で示される電池収納部８は、一対存在する親骨２及び／又は３の要軸５側の端部を、延長すると共に、その先端を中骨４側にＬ字状に屈曲することにより形成されている。
【００２９】
すなわち、前記要軸５は、図３で明らかなように、その端部を中骨４側にＬ字状に屈曲させて電池収納部８を形成するとともに、その内部には、例えばボタン型電池ＬＲ４４などの電池９を３個収納したもので、発光ダイオード（図示せず）に供給される電気エネルギーは、スイッチ１０が付設されたＩＣ回路１１を経由して、親骨２及び／又は３内に設けられた配線１２、一対の親骨２，３および中骨４（図示せず）を要軸５で軸止するための止め軸５ａ内を介して他の親骨２内に設けられた配線１２により供給される。
【００３０】
なお、止め軸５ａは、通常、ナット又はカシメにより要軸５に固定されている。
【００３１】
前記のＩＣ回路１１は、発光ダイオードの発光に変化を持たせるために設けられたもので、連続的発光、断続的発光、さらには発光ダイオードが複数設けられている際の、発光させるダイオードの切り替えなどを制御するために設けられているもので、それにより扇子１の発光に変化や華やかさをもたらすことができるものであり、さらにピエゾ素子を併用することにより、メロディーや各種音声を発することができるものである。
【００３２】
スイッチ１０は、親骨２及び／又は３の一部を構成するスイッチカバー３ａを押圧することにより機能するもので、押圧され押し込まれたスイッチカバー３ａはスプリング１３により、元の位置に復元するように構成されている。
【産業上の利用可能性】
【００３３】
この考案の扇子は、従来の涼を取るという機能、すなわち送風機能に加えて、発光機能を有するものであるため、スポーツ施設や祭礼会場、さらにはコンサートホール、ディスコ、パーティ会場などにおいて、扇子本来の機能と共に、夜間や暗いことの多いそれらの場所において、扇子本来の視覚的美観を損なわずに、しかも、華やかなにあるいは陽気に応援でき、またその場の雰囲気を盛り上げるハリセンとしても用いられるもので、扇子を含む、手工芸品、装飾品、服飾小物等の製造業に寄与することも大なるものである。
【図面の簡単な説明】
【００３４】
【図１】この考案にかかる扇子の一例を示す正面図である。
【図２】閉じた状態を示す斜視図である。
【図３】要軸部の断面図である。
【符号の説明】
【００３５】
１        扇子（扇子本体）
２，３    親骨
４        中骨
５      要軸
６      扇面紙
７      発光ダイオード
８      電池収納部
【図１】
0003102065.tif 000003
【図２】
0003102065.tif 000004
【図３】
0003102065.tif 000005